(57)【要約】【課題】組付作業性が向上した電子機器、筐体及びガスケットを提供することを課題とする。【解決手段】本実施例の携帯電話は、弾性を有したガスケット４０と、ガスケットを挟むように組付けられフロントケース３０、リアケース１０、フロントケース３０及びリアケース１０内に収納されたディスプレイユニット２０と、を備え、ガスケット４０は、頂部４５、頂部４５を介して互いに異なる側に位置する側部４１、４２、リアケース１０の一方に接合された接合部４８、を含み、フロントケース３０、リアケース１０が分離した状態において、側部４１、４２は、フロントケース３０、リアケース１０の組付け方向に直交した仮想線に対する傾斜角度が相違している。【選択図】図３
2010276169.tif 000002
【特許請求の範囲】
【請求項１】
弾性を有したガスケットと、
前記ガスケットを挟むように組付けられ第１及び第２ケースと、
前記第１及び第２ケース内に収納された電子部品と、を備え、
前記ガスケットは、頂部、前記頂部を介して互いに異なる側に位置する第１及び第２側部、前記第１ケースに接合された接合部、を含み、
前記第１及び第２ケースが分離した状態において、前記第１及び第２側部は、前記第１及び第２ケースの組付け方向に直交した仮想線に対する傾斜角度が相違している、電子機器。
【請求項２】
前記ガスケットは、前記第１側部と前記頂部との間にある第１アール部、前記第２側部と前記頂部との間にある第２アール部、を含み、
前記第１及び第２ケースが分離した状態において、前記第１及び第２アール部の曲率半径は相違している、請求項１の電子機器。
【請求項３】
前記ガスケットは、前記第１及び第２側部の少なくとも一方は窪んでいる、請求項１又は２の電子機器。
【請求項４】
前記ガスケットと前記第１ケースとは一体に成形されている、請求項１乃至３の何れかの電子機器。
【請求項５】
弾性を有したガスケットと、
前記ガスケットを挟むように組付けられ第１及び第２ケースと、を備え、
前記ガスケットは、頂部、前記頂部を介して互いに異なる側に位置する第１及び第２側部、前記第１ケースに接合された接合部、を含み、
前記第１及び第２ケースが分離した状態において、前記第１及び第２側部は、前記第１及び第２ケースの組付け方向に直交した仮想線に対する傾斜角度が相違している、筐体。
【請求項６】
組付けられた第１及び第２ケースに挟まれ弾性を有したガスケットにおいて、
頂部と、
前記頂部を介して互いに異なる側に位置する第１及び第２側部と、
前記第１ケースに接合された接合部と、を備え、
前記第１及び第２ケースが分離した状態では、前記第１及び第２側部は、前記第１及び第２ケースの組付け方向に直交した仮想線に対する傾斜角度が相違している、ガスケット。
【発明の詳細な説明】
【技術分野】
【０００１】
本発明は電子機器、筐体及びガスケットに関する。
【背景技術】
【０００２】
第１ケースと第２ケースとの間からの水の浸入を防止するためのガスケットがある。ガスケットは、弾性を有し、第１及び第２ケースの一方に設けられた溝内に配置される。ガスケットが、第１及び第２ケースの他方に押しつぶされることにより、第１及び第２ケースの防水が確保される。関連技術が特許文献１に開示されている。
【先行技術文献】
【特許文献】
【０００３】
【特許文献１】特開２００８−２１８６３３号公報
【発明の概要】
【発明が解決しようとする課題】
【０００４】
第１及び第２ケースの組付けは、あらかじめ溝内にガスケットを配置したうえで行われる。ガスケットが所望の姿勢から傾いた状態で第１及び第２ケースが組みつけられる恐れがある。この場合には、ガスケットが有する本来の防水機能が低下する恐れがある。ガスケットの姿勢に注意を払いつつ第１及び第２ケースの組付け作業を行うと、組付作業性が悪化する恐れがある。
【０００５】
本発明は、組付作業性が向上した電子機器、筐体及びガスケットを提供することを目的とする。
【課題を解決するための手段】
【０００６】
本明細書に開示の電子機器は、弾性を有したガスケットと、前記ガスケットを挟むように組付けられ第１及び第２ケースと、前記第１及び第２ケース内に収納された電子部品と、を備え、前記ガスケットは、頂部、前記頂部を介して互いに異なる側に位置する第１及び第２側部、前記第１ケースに接合された接合部、を含み、前記第１及び第２ケースが分離した状態において、前記第１及び第２側部は、前記第１及び第２ケースの組付け方向に直交した仮想線に対する傾斜角度が相違している。
【０００７】
本明細書に開示の筐体は、弾性を有したガスケットと、前記ガスケットを挟むように組付けられ第１及び第２ケースと、を備え、前記ガスケットは、頂部、前記頂部を介して互いに異なる側に位置する第１及び第２側部、前記第１ケースに接合された接合部、を含み、前記第１及び第２ケースが分離した状態において、前記第１及び第２側部は、前記第１及び第２ケースの組付け方向に直交した仮想線に対する傾斜角度が相違している。
【０００８】
本明細書に開示のガスケットは、組付けられた第１及び第２ケースに挟まれ弾性を有し、頂部と、前記頂部を介して互いに異なる側に位置する第１及び第２側部と、前記第１ケースに接合された接合部と、を備え、前記第１及び第２ケースが分離した状態では、前記第１及び第２側部は、前記第１及び第２ケースの組付け方向に直交した仮想線に対する傾斜角度が相違している。
【発明の効果】
【０００９】
組付作業性が向上した電子機器、筐体及びガスケットを提供できる。
【図面の簡単な説明】
【００１０】
【図１】図１は、携帯電話の分解斜視図。
【図２】図２Ａ、２Ｂは、フロントケース、リアケースの説明図
【図３】図３Ａは、図２ＡのＡ−Ａ断面図、図３Ｂは、リアケース、フロントケースが組付けられた状態での図３Ａに対応する図。
【図４】図４Ａ、４Ｂは、第１変形例の説明図、図４Ｃ、４Ｄは、第２変形例の説明図。
【発明を実施するための形態】
【００１１】
携帯電話を電子機器の一例として説明する。
図１は、携帯電話の分解斜視図である。携帯電話は、リアケース１０、６０、ディスプレイユニット２０、フロントケース３０、８０、プリント基板７０、を含む。ディスプレイユニット２０は、ディスプレイ２２を有している。ディスプレイユニット２０は、リアケース１０、フロントケース３０内に収納される。フロントケース８０には、複数のキー８２が設けられている。プリント基板７０は、リアケース６０、フロントケース８０内に収納される。プリント基板７０には、キー８２への操作に応じてオンオフが切替わる接点が設けられている。フロントケース３０、８０は、それぞれヒンジ部３４、８４を有している。これにより、フロントケース３０、８０は開閉可能に連結されている。ディスプレイユニット２０、プリント基板７０は、電子部品に相当する。
【００１２】
図２Ａ、Ｂは、フロントケース３０、リアケース１０の説明図である。尚、図１に示したフロントケース３０には、正面側にフロントパネル３９が固定されている。フロントケース３０には、ディスプレイ２２を露出するための開口部３１が形成されている。また、開口部３１の周囲には、複数の係合孔３２、貫通孔３３が形成されている。リアケース１０には、係合孔３２と係合する係合爪１２が複数形成されている。また、リアケース１０には、貫通孔３３に対応したネジ穴１３が複数形成されている。リアケース１０とフロントケース３０との間にディスプレイユニット２０が挟まれた状態で、リアケース１０、フロントケース３０が組付けられることにより、ディスプレイユニット２０はリアケース１０、フロントケース３０に収納される。リアケース１０、フロントケース３０は合成樹脂製である。
【００１３】
リアケース１０とガスケット４０とは一体成形されており、これによりガスケット４０はリアケース１０に接合している。ガスケット４０は、弾性を有している。ガスケット４０は、例えば熱可塑性エラストマである。即ち、リアケース１０とガスケット４０とは、互いに異なる材料により一体成形されている。ガスケット４０は、リアケース１０の縁に沿うように連続した環状である。リアケース１０、フロントケース３０が組付けられる際に、ガスケット４０は、リアケース１０、フロントケース３０に挟まれる。ガスケット４０は、リアケース１０、フロントケース３０内を防水する機能を有している。ガスケット４０について以下で説明する。
【００１４】
図３Ａは、図２ＡのＡ−Ａ断面図である。図３Ｂは、リアケース１０、フロントケース３０が組付けられた状態での図３Ａに対応する図である。図３Ａは、リアケース１０、フロントケース３０が組付けられる前の状態、換言すれば、リアケース１０、フロントケース３０が分離した状態でのガスケット４０の姿勢を示している。
【００１５】
図３Ａに例示するように、ガスケット４０は、リアケース１０の接合面１４に接合されている。ガスケット４０は突状である。ガスケット４０は、側部４１、４２、頂部４５、接合部４８を含む。側部４１、４２は、頂部４５を介して互いに異なる側に位置している。ガスケット４０の先端は、当接面１８よりも高い。側部４１、４２は、それぞれリアケース１０の外側、内側に位置する。
【００１６】
側部４１、４２のそれぞれの傾斜角度α、βは、互いに相違している。傾斜角度αは、傾斜角度βよりも小さい。傾斜角度α、βの合計は、例えば１６７度〜１２０度の範囲であるが、この範囲に限定されない。尚、傾斜角度α、βは、リアケース１０に対してフロントケース３０が組付けられる組付け方向Ｄに直交する仮想線Ｌを基準としている。尚、傾斜角度は、９０度以上であってもよい。また、側部４１側には、窪み部４９が設けられている。窪み部４９は、側部４１、４２間の厚みを減ずる機能を有している。
【００１７】
側部４１と頂部４５との間にアール部４３が、側部４２と頂部４５との間にアール部４４が設けられている。アール部４３、４４の曲率半径は相違している。アール部４３の曲率半径は、アール部４４よりも小さい。
【００１８】
接合部４８は、リアケース１０の２平面である接合面１４、１５に接合している。これにより、接合部４８とリアケース１０との接合面積を確保している。また、ガスケット４０と接合されるリアケース１０の面は、このような形状に限定されない。例えば、ガスケットに向けて凹状となる曲面にガスケットが接合されていてもよい。
【００１９】
図３Ｂに例示するように、リアケース１０、フロントケース３０が組付けられた状態では、当接面１８と押圧面３８とが当接し、ガスケット４０はフロントケース３０の押圧面３８に押圧されてリアケース１０の内側に倒れた状態となる。主に、側部４１、頂部４５が押圧面３８と当接した状態となる。ガスケット４０は弾性を有しているので、ガスケット４０は、リアケース１０、フロントケース３０に対して圧力を作用させる。これにより、リアケース１０とフロントケース３０との間の防水性が確保される。
【００２０】
傾斜角度α、βが相違していることにより、リアケース１０とフロントケース３０とを組付けた際にガスケット４０は一定の側に倒れやすくなっている。また、アール部４３、４４の曲率半径が相違していることにより、ガスケット４０は一定の側に倒れやすくなっている。また、窪み部４９により、側部４１、４２間の厚みが減じられており、これによりガスケット４０は倒れた姿勢となりやすい。前述したようにガスケット４０は環状であるが、リアケース１０とフロントケース３０との組付けの際には、全ての領域でガスケット４０は内側に倒れた状態となる。
【００２１】
また、ガスケット４０が倒れた姿勢となることにより、フロントケース３０とガスケット４０との接触面積は、ガスケット４０が起立した姿勢のままフロントケース３０に押圧される場合の接触面積よりも大きくなる。これにより、フロントケース３０が受ける面圧が抑制されフロントケース３０への負荷を抑制できる。これにより、フロントケース３０として薄型のものについても採用できる。また、窪み部４９が設けられていることにより、ガスケット４０の反発力が大きくなりすぎることを抑制している。
【００２２】
本実施例とは異なる構造のガスケットについて説明する。本実施例とは異なる構造のガスケットは、リアケースには接合されおらず、リアケースの溝部に収納される。このガスケットは突状である。溝部へのガスケットの配置を容易にするために、溝部の幅はガスケットの幅よりも大きく形成されている。リアケースとフロントケースとの組付けの際に、ガスケットが所望の姿勢よりも傾いた状態となる恐れがある。この状態でリアケースとフロントケースとの組付けが行われると、予め想定されるガスケットの反発力が低下する恐れがある。このような場合には、リアケースとフロントケースとの間の防水性が低下する恐れがある。また、ガスケットの底部とリアケースとの間から水が内部に浸入する恐れがある。このように、ガスケットが所望の姿勢を考慮しつつ組付け作業を行なうと、組付作業性が悪化する恐れがある。
【００２３】
しかしながら、本実施例において、リアケース１０とガスケット４０とが一体に成形により接合されている。従って、組立て前においてガスケット４０は所望の姿勢を維持する。これにより、ガスケット４０の姿勢に配慮することなくリアケース１０とフロントケース３０とを組付けることができる。よって、組付作業性が向上する。リアケース１０とフロントケース３０とが組付けられるとガスケット４０は倒れた姿勢となって防水性が確保できる。
【００２４】
次に、変形例について説明する。
図４Ａ、４Ｂは、第１変形例の説明図、図４Ｃ、４Ｄは、第２変形例の説明図である。図４Ａに例示するように、第１変形例のガスケット４０ａにおいては、側部４１ａの傾斜角度α１は、側部４２ａの傾斜角度β１よりも大きい。アール部４３ａの曲率半径は、アール部４４ａよりも小さい。図４Ｂに例示するように、組付け後は、ガスケット４０ａは先端が内側に倒れた姿勢となる。押圧面３８ａは段状に形成されている。押圧面３８ａの組付け方向Ｄと直交する面がガスケット４０ａを押圧する。第１変形例のガスケット４０ａによっても組付作業性が向上する。
【００２５】
図４Ｃに例示するように、第２変形例のガスケット４０ｂにおいては、側部４１ｂの傾斜角度α２は、側部４２ｂの傾斜角度β２よりも小さい。アール部４３ｂの曲率半径は、アール部４４ｂよりも大きい。押圧面３８ｂは、段状に形成されている。また、当接面１８ｂは平面状であり、当接面１８ｂにガスケット４０ｂが接合されている。図４Ｄに例示するように、組付け後は、ガスケット４０ｂは内側に倒れた姿勢となる。フロントケース３０ｂの押圧面３８ｂの組付け方向Ｄと直交する部分がガスケット４０ｂを押圧する。図４Ｄに例示するように、フロントケース３０ｂとガスケット４０ｂとの接触面積を確保することができる。第２変形例のガスケット４０ｂによっても組付作業性が向上する。
【００２６】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２７】
電子機器としては、携帯電話に限定されない。例えば、ＰＤＡやノートパソコンであってもよい。また、上記ガスケットを採用した筐体は、電子部品以外を収納するものであってもよい。ガスケットが常に一定の側に倒れればよく、ケースの外側に倒れるように設計してもよい。窪み部は、両側部に設けられていてもよい。上記ガスケットを、リアケース６０に設けてもよい。
【００２８】
（付記１）
弾性を有したガスケットと、
前記ガスケットを挟むように組付けられ第１及び第２ケースと、
前記第１及び第２ケース内に収納された電子部品と、を備え、
前記ガスケットは、頂部、前記頂部を介して互いに異なる側に位置する第１及び第２側部、前記第１ケースの一方に接合された接合部、を含み、
前記第１及び第２ケースが分離した状態において、前記第１及び第２側部は、前記第１及び第２ケースの組付け方向に直交した仮想線に対する傾斜角度が相違している、電子機器。
（付記２）
前記ガスケットは、前記第１側部と前記頂部との間にある第１アール部、前記第２側部と前記頂部との間にある第２アール部、を含み、
前記第１及び第２ケースが分離した状態において、前記第１及び第２アール部の曲率半径は相違している、付記１の電子機器。
（付記３）
前記ガスケットは、前記第１及び第２側部の少なくとも一方は窪んでいる、付記１又は２の電子機器。
（付記４）
前記ガスケットと前記第１ケースとは一体に成形されている、付記１乃至３の何れかの電子機器。
（付記５）
前記第１及び第２ケースが組付けられた状態においては、前記ガスケットは前記第２ケースに押圧されて倒れた状態となる、付記１乃至４の何れかの電子機器。
（付記６）
前記第１側部の傾斜角度は、前記第２側部の傾斜角度よりも小さく、
前記第１アール部の曲率半径は、前記第２アール部よりも大きい、付記２の電子機器。
（付記７）
前記接合部は、前記第１ケースの連続した２平面に、又は前記第１ケースの前記ガスケットに向けて凹状となる曲面に接合している、付記１の電子機器。
（付記８）
弾性を有したガスケットと、
前記ガスケットを挟むように組付けられ第１及び第２ケースと、を備え、
前記ガスケットは、頂部、前記頂部を介して互いに異なる側に位置する第１及び第２側部、前記第１ケースに接合された接合部、を含み、
前記第１及び第２ケースが分離した状態において、前記第１及び第２側部は、前記第１及び第２ケースの組付け方向に直交した仮想線に対する傾斜角度が相違している、筐体。
（付記９）
組付けられた第１及び第２ケースに挟まれ弾性を有したガスケットにおいて、
頂部と、
前記頂部を介して互いに異なる側に位置する第１及び第２側部と、
前記第１ケースに接合された接合部と、を備え、
前記第１及び第２ケースが分離した状態では、前記第１及び第２側部は、前記第１及び第２ケースの組付け方向に直交した仮想線に対する傾斜角度が相違している、ガスケット。
【符号の説明】
【００２９】
１０  リアケース
２０  ディスプレイユニット
３０  フロントケース
４０  ガスケット
４１、４２  側部
４３、４４  アール部
４５  頂部
４８  接合部
１４、１５  接合面
【図１】
2010276169.tif 000003
【図２】
2010276169.tif 000004
【図３】
2010276169.tif 000005
【図４】
2010276169.tif 000006